(57)【要約】【課題】効果的にかつ確実にウィルスを不活性化して死滅させることができるダクト装置を提供する。【解決手段】室外からの空気を室内に搬送するための吸気通路１と、室内の空気を室外に排気するための排気通路２と、換気装置３とを備える。上記換気装置３は、吸気通路１と排気通路２が交差し、排気通路２を通過する空気と吸気通路１を通過する空気との間で熱と水蒸気との授受を行う全熱交換器４を有している。上記全熱交換器４の下流側の吸気通路１内にバイオフィルタＢＦ１を配設している。【選択図】図１
2005344985.tif 000002
【特許請求の範囲】
【請求項１】
室外からの空気を室内に搬送するための吸気通路(１,４１,６１)と、
上記吸気通路(１,４１,６１)で搬送される空気が通過するバイオフィルタ(ＢＦ１〜ＢＦ１０)とを備えたことを特徴とするダクト装置。
【請求項２】
請求項１に記載のダクト装置において、
上記吸気通路(１,４１,６１)を分岐するように設けられ、上記バイオフィルタ(ＢＦ１〜ＢＦ１０)が配設されたバイパス通路(５,１２,２４,４２,６２,７３,８４)と、
上記バイパス通路(５,１２,２４,４２,６２,７３,８４)を作動させるバイパス通路作動手段とを備えたことを特徴とするダクト装置。
【請求項３】
請求項１または２に記載のダクト装置において、
室内の空気を室外に排気するための排気通路(２)と、
上記排気通路(２)を通過する空気と上記吸気通路(１)を通過する空気との間で熱と水蒸気との授受を行う全熱交換器(４)とを備えたことを特徴とするダクト装置。
【請求項４】
請求項１または２に記載のダクト装置において、
上記バイパス通路(４２,６２,７３,８４)よりも上流側の上記吸気通路(４１,６１)と室内との間に接続され、その接続点よりも下流側の上記吸気通路(４１,６１)とで室内の空気を循環させるための循環経路を形成する循環経路用通路(４３,６３)を備えたことを特徴とするダクト装置。
【請求項５】
請求項１乃至３のいずれか１つに記載のダクト装置において、
上記吸気通路(１,６１)に配設された空気調和機(３０,６４)を備えたことを特徴とするダクト装置。
【請求項６】
請求項１乃至５のいずれか１つに記載のダクト装置において、
上記バイオフィルタ(ＢＦ２,ＢＦ７〜ＢＦ１０,１０１,１４１)の上流側に配置された加湿手段(３０a,３１,４４a,６４a,１２０,１３０,１４８,１５０)を備えたことを特徴とするダクト装置。
【請求項７】
請求項１乃至６のいずれか１つに記載のダクト装置において、
上記バイパス通路作動手段がダンパ(Ｄ１,Ｄ２,Ｄ１１,Ｄ１２,Ｄ１４,Ｄ１５〜Ｄ１７)であることを特徴とするダクト装置。
【請求項８】
請求項１乃至６のいずれか１つに記載のダクト装置において、
上記バイパス通路作動手段が、上記バイパス通路(５,１２,２４,４２,６２,７３,８４)の上流側から下流側に空気を流す送風ファン(６,２３,４５,６５,８３)であることを特徴とするダクト装置。
【発明の詳細な説明】
【技術分野】
【０００１】
この発明は、ダクト装置に関する。
【背景技術】
【０００２】
従来、室外からの空気を室内に搬送するための吸気通路を備えた空調用のダクト装置がある。このダクト装置には、塵埃などを除去するためのフィルタを吸気通路内に配設したものはあったが、空気中のウィルスを不活性化させるフィルタを用いたものはなかった。
【０００３】
そこで、このようなダクト装置において、空気中のウィルスをフィルタに吸着させて、化学的に不活性化する技術を用いて吸着したウィルスを不活性化するフィルタを備えることが考えられる。
【０００４】
しかしながら、上記フィルタでは、吸着によりフィルタにウィルスが一旦補足されても、乾燥すると再び空気中に放出されてしまったり、吸着している間に化学的に不活性化する技術を用いているので、不活性化するまでに時間がかかったりするため、効果的にウィルスを不活性化して死滅させることができないという問題がある。
【０００５】
なお、上記従来の技術は、その技術分野において一般的に知られている周知の技術を用いたもので、本発明に関連する発明の先行技術文献を見出せず、特に先行技術文献情報については記載していない。
【発明の開示】
【発明が解決しようとする課題】
【０００６】
そこで、この発明の目的は、効果的にかつ確実にウィルスを不活性化して死滅させることができるダクト装置を提供することにある。
【課題を解決するための手段】
【０００７】
上記目的を達成するため、この発明のダクト装置は、室外からの空気を室内に搬送するための吸気通路と、上記吸気通路で搬送される空気が通過するバイオフィルタとを備えたことを特徴とする。ここで、「バイオフィルタ」とは、インフルエンザウィルス等のウィルスを不活性化する抗体を用いたものである。
【０００８】
上記構成のダクト装置によれば、上記吸気通路によって室外から室内に搬送される空気がバイオフィルタを通過することによって、効果的にかつ確実にウィルスを不活性化して死滅させることができる。また、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【０００９】
また、一実施形態のダクト装置は、上記吸気通路を分岐するように設けられ、上記バイオフィルタが配設されたバイパス通路と、上記バイパス通路を作動させるバイパス通路作動手段とを備えたことを特徴とする。
【００１０】
上記実施形態のダクト装置によれば、上記バイパス通路を作動しない状態では、吸気通路で搬送される空気は、吸気通路を分岐するように設けられたバイパス通路を通過しない。一方、上記バイパス通路作動手段によりバイパス通路を作動させた状態では、吸気通路で搬送される空気の少なくとも一部がバイパス通路内に配置されたバイオフィルタを通過する。したがって、上記バイパス通路作動手段によりバイオフィルタのウィルス除去能力をオンオフ制御できる。また、上記吸気通路とは別に設けられたバイパス通路にバイオフィルタを配置しているので、圧損の高いバイオフィルタ(ウィルス除去能力が高い)を用いても、バイパス通路を作動しないときは低圧損で吸気通路により室外からの空気を室内に搬送できる。
【００１１】
また、一実施形態のダクト装置は、室内の空気を室外に排気するための排気通路と、上記排気通路を通過する空気と上記吸気通路を通過する空気との間で熱と水蒸気との授受を行う全熱交換器とを備えたことを特徴とする。
【００１２】
上記実施形態のダクト装置によれば、室内の空気を室外に排気するための排気通路を通過する空気と吸気通路を通過する空気との間で全熱交換器により熱と水蒸気との授受を行うことによって、排気通路を介して室外に排気される室内空気の水蒸気が、全熱交換器を介して吸気通路側の空気に移って、加湿された空気がバイオフィルタを通過する。したがって、バイオフィルタに免疫反応に不可欠な水分を連続して補給しつつ、効果的にかつ確実にウィルスを不活性化して死滅させることができる。
【００１３】
また、一実施形態のダクト装置は、上記バイパス通路よりも上流側の上記吸気通路と室内との間に接続され、その接続点よりも下流側の上記吸気通路とで室内の空気を循環させるための循環経路を形成する循環経路用通路を備えたことを特徴とする。
【００１４】
上記実施形態のダクト装置によれば、上記バイパス通路よりも上流側の吸気通路と室内との間に接続された循環経路用通路と、その接続点よりも下流側の吸気通路の一部により形成された循環経路によって、室内の空気を循環させる。この循環経路により室内の空気を循環させるとき、バイパス通路作動手段によりバイパス通路を作動させて、吸気通路で搬送される空気をバイパス通路内に配置されたバイオフィルタに通過させて、バイオフィルタのウィルス除去機能を働かせることができる。
【００１５】
また、一実施形態のダクト装置は、上記吸気通路に配設された空気調和機を備えたことを特徴とする。
【００１６】
上記実施形態のダクト装置によれば、室外からの空気が吸気通路を介して室内に供給されて換気が行われると共に、吸気通路に配設された空気調和機によって空気調和を行うことができる。
【００１７】
また、一実施形態のダクト装置は、上記バイオフィルタの上流側に配置された加湿手段を備えたことを特徴とする。
【００１８】
上記実施形態のダクト装置によれば、上記バイオフィルタの上流側に配置された加湿手段により加湿することにより、バイオフィルタに水分を補給して、免疫反応に不可欠な水分をバイオフィルタに保つことができ、より効果的にウィルスを不活性化できる。
【００１９】
また、一実施形態のダクト装置は、上記バイパス通路作動手段がダンパであることを特徴とする。
【００２０】
上記実施形態のダクト装置によれば、上記バイパス通路作動手段にダンパを用いることによって、簡単な構成でバイパス通路の作動状態を制御することができる。
【００２１】
また、一実施形態のダクト装置は、上記バイパス通路作動手段が、上記バイパス通路の上流側から下流側に空気を流す送風ファンであることを特徴とする。
【００２２】
上記実施形態のダクト装置によれば、上記バイパス通路作動手段に、バイパス通路の上流側から下流側に空気を流す送風ファンを用いることによって、送風ファンを運転することにより、バイパス通路を作動させた状態にする一方、送風ファンを停止することにより、バイパス通路を作動させない状態にする。したがって、簡単な構成でバイパス通路の作動状態を制御することができる。
【発明の効果】
【００２３】
以上より明らかなように、この発明のダクト装置によれば、吸気通路によって室外から室内に搬送される空気がバイオフィルタを通過することによって、効果的にかつ確実にウィルスを不活性化して死滅させることができる。
【００２４】
また、一実施形態のダクト装置によれば、上記バイパス通路作動手段によりバイパス通路の作動を制御することによって、バイオフィルタのウィルス除去能力をオンオフ制御できると共に、吸気通路とは別に設けられたバイパス通路にバイオフィルタを配置しているので、圧損の高いバイオフィルタ(ウィルス除去能力が高い)を用いても、バイパス通路が作動しないときは低圧損で吸気通路により室外からの空気を室内に搬送できる。
【００２５】
また、一実施形態のダクト装置によれば、室内の空気を室外に排気するための排気通路を通過する空気と吸気通路を通過する空気との間で全熱交換器により熱と水蒸気との授受を行うことによって、排気通路を介して室外に排気される室内空気の水蒸気が、全熱交換器を介して吸気通路側の空気に移って、加湿された空気がバイオフィルタを通過して吸湿されるので、バイオフィルタに免疫反応に不可欠な水分を連続して補給しつつ、効果的にかつ確実にウィルスを不活性化して死滅させることができる。
【００２６】
また、一実施形態のダクト装置によれば、上記バイパス通路よりも上流側の吸気通路と室内との間に接続された循環経路用通路と、その接続点よりも下流側の吸気通路の一部により形成された循環経路により室内の空気を循環させた状態で、バイパス通路作動手段によりバイパス通路を作動させて、バイオフィルタのウィルス除去機能を働かせることができる。
【００２７】
また、一実施形態のダクト装置によれば、上記吸気通路に空気調和機を配設することによって、室外からの空気を吸気通路を介して室内に供給することにより換気を行うと共に、空気調和機による空気調和を行うことができる。
【００２８】
また、一実施形態のダクト装置によれば、上記バイオフィルタの上流側に配置された加湿手段により加湿することにより、バイオフィルタに水分を補給して、免疫反応に不可欠な水分をバイオフィルタに保つことができ、より効果的にウィルスを不活性化できる。
【００２９】
また、一実施形態のダクト装置によれば、上記バイパス通路作動手段にダンパを用いることによって、簡単な構成でバイパス通路の作動状態を制御することができる。
【００３０】
また、一実施形態のダクト装置によれば、上記バイパス通路作動手段にバイパス通路の上流側から下流側に空気を流す送風ファンを用いることによって、簡単な構成でバイパス通路の作動状態を制御することができる。
【発明を実施するための最良の形態】
【００３１】
以下、この発明のダクト装置を図示の実施の形態により詳細に説明する。
【００３２】
（第１実施形態）
図１はこの発明の第１実施形態のダクト装置の概略構成図であり、１は室外からの空気を室内に搬送するための吸気通路、２は室内の空気を室外に排気するための排気通路、３は換気装置である。上記換気装置３は、吸気通路１と排気通路２が交差し、排気通路２を通過する空気と吸気通路１を通過する空気との間で熱と水蒸気との授受を行う全熱交換器４と、吸気通路１の吸込口１aから室外の空気を吸い込んで吹出口１bから吹き出す送風ファン(図示せず)と、排気通路２の吸込口２aから室内の空気を吸い込んで吹出口２bから吹き出す送風ファン(図示せず)とを有している。上記全熱交換器４の下流側の吸気通路１内にバイオフィルタＢＦ１を配設している。上記バイオフィルタＢＦ１は、保守が容易にできるように、吸気通路１の外側より取り外し可能に取り付けられている。また、上記吸気通路１の吸込口１aにフィルタＦ１を配置すると共に、排気通路２の室内側の吸込口２aにはフィルタＦ３を配置している。さらに、上記換気装置３の全熱交換器４には、吸気通路１の上流側にフィルタＦ２を配置し、排気通路２の上流側にフィルタＦ４を配置している。
【００３３】
上記バイオフィルタＢＦ１は、インフルエンザウィルスを不活性化するＩgY抗体を用いたものである。また、上記バイオフィルタＢＦ１のフィルタ繊維に調湿素材(ゼオライト,ナイロン,吸水性ポリマなど)を用いることによって、フィルタ繊維に水分を保つことが可能となり、抗体による免疫反応が活性化される。
【００３４】
上記構成のダクト装置において、室外から吸気通路１を介して室内に空気が供給されるとき、バイオフィルタＢＦ１を通過する。このとき、排気通路２を介して室外に排気される室内空気の水蒸気が、換気装置３の全熱交換器４を介して吸気通路１側の空気に移って、加湿された空気がバイオフィルタＢＦ１を通過することになるので、バイオフィルタＢＦ１の調湿素材に水分が供給される。したがって、調湿素材を用いて形成されたバイオフィルタＢＦ１に、免疫反応に不可欠な水分を連続して補給しつつ、効果的にかつ確実にウィルスを不活性化して死滅させることができる。
【００３５】
上記バイオフィルタＢＦ１では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【００３６】
（第２実施形態）
図２はこの発明の第２実施形態のダクト装置の概略構成図であり、１は室外からの空気を室内に搬送するための吸気通路、２は室内の空気を室外に排気するための排気通路、３は換気装置である。上記換気装置３は、吸気通路１と排気通路２が交差し、排気通路２を通過する空気と吸気通路１を通過する空気との間で熱と水蒸気との授受を行う全熱交換器４と、吸気通路１の吸込口１aから室外の空気を吸い込んで吹出口１bから吹き出す送風ファン(図示せず)と、排気通路２の吸込口２aから室内の空気を吸い込んで吹出口２bから吹き出す送風ファン(図示せず)とを有している。そして、上記全熱交換器４よりも下流側かつ全熱交換器４近傍の吸気通路１に一端が接続され、吸気通路１の室内側に他端が接続されたバイパス通路５を設けている。
【００３７】
上記バイパス通路５内にバイオフィルタＢＦ１を配設している。このバイオフィルタＢＦ１は、保守が容易にできるように、バイパス通路５の外側より取り外し可能に取り付けられている。また、上記吸気通路１の吸込口１aにフィルタＦ１を配置すると共に、排気通路２の室内側の吸込口２aにはフィルタＦ３を配置している。さらに、上記換気装置３の全熱交換器４には、吸気通路１の上流側にフィルタＦ２を配置し、排気通路２の上流側にフィルタＦ４を配置している。
【００３８】
また、上記吸気通路１とバイパス通路５の上流側接続部に、吸気通路１を閉じてバイパス通路５を開くか、または、吸気通路１を開いてバイパス通路５を閉じるダンパＤ１を配置している。また、上記吸気通路１とバイパス通路５の下流側接続部に、吸気通路１を閉じてバイパス通路５を開くか、または、吸気通路１を開いてバイパス通路５を閉じるダンパＤ２を配置している。上記ダンパＤ１が吸気通路１を閉じてバイパス通路５を開くとき、ダンパＤ２も吸気通路１を閉じてバイパス通路５を開く一方、ダンパＤ１が吸気通路１を開いてバイパス通路５を閉じるとき、ダンパＤ２も吸気通路１を開いてバイパス通路５を閉じる。上記ダンパＤ１,Ｄ２でバイパス通路作動手段を構成している。
【００３９】
上記構成のダクト装置において、ダンパＤ１が吸気通路１を開いてバイパス通路５を閉じ、かつ、ダンパＤ２が吸気通路１を開いてバイパス通路５を閉じているときは、換気装置３の全熱交換器４による換気が行われる。一方、上記ダンパＤ１が吸気通路１を閉じてバイパス通路５を開くとき、ダンパＤ２も吸気通路１を閉じてバイパス通路５を開くときは、室外からバイパス通路５を介して室内に空気が供給されて、バイオフィルタＢＦ２を通過する。このとき、排気通路２を介して室外に排気される室内空気の水蒸気が、換気装置３の全熱交換器４を介して吸気通路１側の空気に移って、加湿された空気がバイオフィルタＢＦ２を通過することになるので、バイオフィルタＢＦ２の調湿素材に水分が供給される。
【００４０】
したがって、調湿素材を用いて形成されたバイオフィルタＢＦ２に、免疫反応に不可欠な水分を連続して補給しつつ、効果的にかつ確実にウィルスを不活性化して死滅させることができる。また、上記バイオフィルタＢＦ２では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【００４１】
また、上記バイパス通路作動手段としてのダンパＤ１,Ｄ２によりバイオフィルタＢＦ２のウィルス除去能力をオンオフ制御できると共に、吸気通路１とは別に設けられたバイパス通路５にバイオフィルタＢＦ２を配置しているので、圧損の高いバイオフィルタＢＦ２(ウィルス除去能力が高い)を用いても、バイパス通路５を作動しないときは低圧損で吸気通路１により室外からの空気を室内に搬送することができる。
【００４２】
また、上記ダンパＤ１,Ｄ２をバイパス通路作動手段に用いることによって、簡単な構成でバイパス通路５の作動状態を制御することができる。
【００４３】
上記第２実施形態では、バイパス通路作動手段としてのダンパＤ１,Ｄ２を用いて、バイパス通路５を作動させたが、バイパス通路５内にバイパス通路作動手段として送風ファン６を配置して、送風ファン６を運転することによりバイパス通路５を作動させてもよい。この場合、簡単な構成でバイパス通路５の作動状態を制御することができると共に、バイパス通路５の作動時に全熱交換器４の吸気通路１側の送風ファンを停止することにより、バイパス通路５に流れる風量を増大することができる。
【００４４】
（第３実施形態）
図３はこの発明の第３実施形態のダクト装置の概略構成図であり、この第３実施形態のダクト装置は、バイオフィルタおよび室内ユニットを除いて第１実施形態のダクト装置と同様の構成をしており、同一構成部は同一参照番号を付して説明を省略する。
【００４５】
上記第３実施形態のダクト装置は、図３に示すように、吸気通路１の室内側の吹出口１bに接続された室内ユニット１０を室内の側壁に配設している。上記室内ユニット１０は、ケーシング１１内に、吸気通路１の吹出口１bが一端に接続されたバイパス通路１２を有し、そのバイパス通路１２内にバイオフィルタＢＦ３を配設している。また、上記室内ユニット１０は、ケーシング１２内にバイパス通路作動手段の一例としてのダンパＤ３を設けており、ダンパＤ３が開いた状態で吸気通路１の室内側吹出口１bからの空気から室内に吹き出す一方、ダンパＤ３が閉じた状態でバイパス通路１２を介して吹き出す。上記バイオフィルタＢＦ３は、保守が容易にできるように、室内側より取り外し可能に取り付けられている。
【００４６】
上記構成のダクト装置において、ダンパＤ３が開いているときは、換気装置３の全熱交換器４による換気が行われる。一方、上記ダンパＤ３が閉じているときは、室外からバイパス通路５を介して室内に空気が供給されて、バイオフィルタＢＦ３を通過する。このとき、排気通路２を介して室外に排気される室内空気の水蒸気が、換気装置３の全熱交換器４を介して吸気通路１側の空気に移って、加湿された空気がバイオフィルタＢＦ３を通過することになるので、バイオフィルタＢＦ３の調湿素材に水分が供給される。
【００４７】
したがって、調湿素材を用いて形成されたバイオフィルタＢＦ３に、免疫反応に不可欠な水分を連続して補給しつつ、効果的にかつ確実にウィルスを不活性化して死滅させることができる。また、上記バイオフィルタＢＦ３では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【００４８】
また、上記バイパス通路作動手段としてのダンパＤ３によりバイオフィルタＢＦ３のウィルス除去能力をオンオフ制御できると共に、吸気通路１とは別に設けられたバイパス通路１２にバイオフィルタＢＦ３を配置しているので、圧損の高いバイオフィルタＢＦ３(ウィルス除去能力が高い)を用いても、バイパス通路１２を作動しないときは低圧損で室外からの空気を吸気通路１を介して室内に搬送することができる。
【００４９】
また、上記ダンパＤ３をバイパス通路作動手段に用いることによって、簡単な構成でバイパス通路１２の作動状態を制御することができる。
【００５０】
（第４実施形態）
図４はこの発明の第４実施形態のダクト装置の概略構成図であり、この第４実施形態のダクト装置は、バイオフィルタおよび室内ユニットを除いて第１実施形態のダクト装置と同様の構成をしており、同一構成部は同一参照番号を付して説明を省略する。
【００５１】
上記第４実施形態のダクト装置は、図４に示すように、吸気通路１の室内側の吹出口１bに接続された室内ユニット２０を室内の壁内に配設している。上記室内ユニット２０は、ケーシング２１内に、吸気通路１の吹出口１bが一端に接続されたバイパス通路２４を有し、そのバイパス通路２４内にバイオフィルタＢＦ４と送風ファン２３を上流側から順に配設している。また、上記室内ユニット２０は、ケーシング２１内にバイパス通路作動手段の一例としてのダンパＤ４を設けており、ダンパＤ４が開いた状態で吸気通路１からの空気から室内に吹き出す一方、ダンパＤ４が閉じた状態でバイパス通路２４を介して吹き出す。上記バイオフィルタＢＦ４は、保守が容易にできるように、室内側より取り外し可能に取り付けられている。
【００５２】
上記構成のダクト装置において、ダンパＤ４が開いているときは、換気装置３の全熱交換器４による換気が行われる。一方、上記ダンパＤ４が閉じて送風ファン２３を運転するとき、室外からバイパス通路５を介して室内に空気が供給されて、バイオフィルタＢＦ４を通過する。このとき、上記排気通路２を介して室外に排気される室内空気の水蒸気が、換気装置３の全熱交換器４を介して吸気通路１側の空気に移って、加湿された空気がバイオフィルタＢＦ４を通過することになるので、バイオフィルタＢＦ４の調湿素材に水分が供給される。
【００５３】
したがって、調湿素材を用いて形成されたバイオフィルタＢＦ４に、免疫反応に不可欠な水分を連続して補給しつつ、効果的にかつ確実にウィルスを不活性化して死滅させることができる。また、上記バイオフィルタＢＦ４では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【００５４】
また、上記バイパス通路作動手段としてのダンパＤ４によりバイオフィルタＢＦ４のウィルス除去能力をオンオフ制御できると共に、吸気通路１とは別に設けられたバイパス通路２４にバイオフィルタＢＦ４を配置しているので、圧損の高いバイオフィルタＢＦ４(ウィルス除去能力を高くするため高圧損)を用いても、バイパス通路２４を作動しないときは低圧損で室外からの空気を吸気通路１を介して室内に搬送することができる。
【００５５】
また、上記ダンパＤ４をバイパス通路作動手段に用いることによって、簡単な構成でバイパス通路２４の作動状態を制御することができる。
【００５６】
（第５実施形態）
図５はこの発明の第５実施形態のダクト装置の概略構成図であり、この第５実施形態のダクト装置は、バイオフィルタを除いて第１実施形態のダクト装置と同様の構成をしており、同一構成部は同一参照番号を付して説明を省略する。
【００５７】
上記第５実施形態のダクト装置は、図５に示すように、吸気通路１の室内側の吹出口１bにバイオフィルタＢＦ５を配置している。上記バイオフィルタＢＦ５は、保守が容易にできるように、室内側より取り外し可能に取り付けられている。
【００５８】
上記構成のダクト装置において、室外から吸気通路１を介して室内に空気が供給されるとき、バイオフィルタＢＦ５を通過する。このとき、排気通路２を介して室外に排気される室内空気の水蒸気が、換気装置３の全熱交換器４を介して吸気通路１側の空気に移って、加湿された空気がバイオフィルタＢＦ５を通過することになるので、バイオフィルタＢＦ５の調湿素材に水分が供給される。
【００５９】
したがって、調湿素材を用いて形成されたバイオフィルタＢＦ５に、免疫反応に不可欠な水分を連続して補給しつつ、効果的にかつ確実にウィルスを不活性化して死滅させることができる。また、上記バイオフィルタＢＦ５では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【００６０】
また、上記バイオフィルタＢＦ５を室内側より着脱することにより、バイオフィルタＢＦ５によるウィルス除去機能を働かせるか否かを切り替えることができる。
【００６１】
（第６実施形態）
図６はこの発明の第６実施形態のダクト装置の概略構成図であり、この第６実施形態のダクト装置は、空気調和機を除いて第２実施形態のダクト装置と同様の構成をしており、同一構成部は同一参照番号を付して説明を省略する。
【００６２】
上記第６実施形態のダクト装置は、図６に示すように、吸気通路１の全熱交換器４よりも下流側、かつ、吸気通路１とバイパス通路５の上流側との接続部よりも上流側に、空気調和機３０を配設している。この空気調和機３０は、加湿手段の一例としての加湿ユニット３０aを備えている。
【００６３】
上記構成のダクト装置において、ダンパＤ１が吸気通路１を開いてバイパス通路５を閉じ、かつ、ダンパＤ２が吸気通路１を開いてバイパス通路５を閉じているときは、換気装置３の全熱交換器４による換気が行われると共に、空気調和機３０により暖房運転または冷房運転を行う。一方、上記ダンパＤ１が吸気通路１を閉じてバイパス通路５を開き、かつ、ダンパＤ２が吸気通路１を閉じてバイパス通路５を開くときは、室外からバイパス通路５を介して室内に空気が供給されて、バイオフィルタＢＦ２を通過する。このとき、上記空気調和機３０により暖房運転または冷房運転が行われると共に、空気調和機３０の加湿ユニット３０aにより加湿された空気がバイオフィルタＢＦ２を通過することになるので、バイオフィルタＢＦ２の調湿素材に水分が供給される。また、空気調和機３０の加湿ユニットを用いた加湿を行わない場合であっても、排気通路２を介して室外に排気される室内空気の水蒸気が、換気装置３の全熱交換器４を介して吸気通路１側の空気に移って、加湿された空気がバイオフィルタＢＦ２を通過することになるので、バイオフィルタＢＦ２の調湿素材に水分が供給される。
【００６４】
したがって、調湿素材を用いて形成されたバイオフィルタＢＦ２に、免疫反応に不可欠な水分を連続して補給しつつ、効果的にかつ確実にウィルスを不活性化して死滅させることができる。また、上記バイオフィルタＢＦ２では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【００６５】
また、上記バイパス通路５よりも上流側の吸気通路１に空気調和機３０を配設することによって、バイパス通路５の作動状態にかかわらず、空気調和機３０による空気調和を行うことができる。
【００６６】
また、上記ダンパＤ１,Ｄ２をバイパス通路作動手段に用いることによって、簡単な構成でバイパス通路５の作動状態を制御することができる。
【００６７】
上記第６実施形態では、バイパス通路作動手段としてのダンパＤ１,Ｄ２を用いて、バイパス通路５を作動させたが、バイパス通路５内にバイパス通路作動手段として送風ファン６を配置して、送風ファン６を運転することによりバイパス通路５を作動させてもよい。この場合、簡単な構成でバイパス通路５の作動状態を制御することができる。
【００６８】
（第７実施形態）
図７はこの発明の第７実施形態のダクト装置の概略構成図であり、この第７実施形態のダクト装置は、加湿ユニットを除いて第２実施形態のダクト装置と同様の構成をしており、同一構成部は同一参照番号を付して説明を省略する。
【００６９】
上記第７実施形態のダクト装置は、図７に示すように、バイパス通路５内のバイオフィルタＢＦ２よりも上流側に加湿手段の一例としての加湿ユニット３１を配設している。
【００７０】
上記構成のダクト装置において、ダンパＤ１が吸気通路１を開いてバイパス通路５を閉じ、かつ、ダンパＤ２が吸気通路１を開いてバイパス通路５を閉じているとき、換気装置３の全熱交換器４による換気が行われると共に、加湿ユニット３１により加湿を行う。一方、上記ダンパＤ１が吸気通路１を閉じてバイパス通路５を開き、かつ、ダンパＤ２が吸気通路１を閉じてバイパス通路５を開くとき、室外からバイパス通路５を介して室内に空気が供給されて、バイオフィルタＢＦ２を通過する。このとき、上記加湿ユニット３１により加湿が行われると共に、排気通路２を介して室外に排気される室内空気の水蒸気が、換気装置３の全熱交換器４を介して吸気通路１側の空気に移って、加湿された空気がバイオフィルタＢＦ２を通過することになるので、バイオフィルタＢＦ２の調湿素材に水分が供給される。
【００７１】
したがって、調湿素材を用いて形成されたバイオフィルタＢＦ２に、免疫反応に不可欠な水分を連続して補給しつつ、効果的にかつ確実にウィルスを不活性化して死滅させることができる。また、上記バイオフィルタＢＦ２では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【００７２】
また、上記ダンパＤ１,Ｄ２をバイパス通路作動手段に用いることによって、簡単な構成でバイパス通路５の作動状態を制御することができる。
【００７３】
上記第７実施形態では、バイパス通路作動手段としてのダンパＤ１,Ｄ２を用いて、バイパス通路５を作動させたが、バイパス通路５内にバイパス通路作動手段として送風ファン６を配置して、送風ファン６を運転することによりバイパス通路５を作動させてもよい。この場合、簡単な構成でバイパス通路５の作動状態を制御することができる。
【００７４】
（第８実施形態）
図８はこの発明の第８実施形態のダクト装置の概略構成図であり、４１は室外からの空気を室内に搬送するための吸気通路、４２は上記吸気通路４１に設けられたバイパス通路、４３は上記バイパス通路４２よりも上流側の吸気通路４１と室内との間に接続され、その接続点よりも下流側の吸気通路４１とで室内の空気を循環させるための循環経路を形成する循環経路用通路、４４は上記バイパス通路４２の上流側が接続された吸気通路４１の上流側接続部とバイパス通路４２の下流側が接続された吸気通路４１の下流側接続部との間に配設された空気調和機である。この空気調和機４４は、加湿手段の一例としての加湿ユニット４４aを備えている。また、上記吸気通路４１の空気調和機４４よりも下流側に送風ファン４０を配設している。
【００７５】
上記バイパス通路４２内にバイオフィルタＢＦ６を配設している。また、上記吸気通路４１の吸込口４１aにフィルタＦ１１を配置すると共に、吸気通路４１の室内側の吹出口４１bにフィルタＦ１２を配置している。さらに、上記循環経路用通路４３の吸込口４３aにフィルタＦ１３を配置している。
【００７６】
また、上記吸気通路４１とバイパス通路４２の上流側接続部に、吸気通路４１を閉じてバイパス通路４２を開くか、または、吸気通路４１を開いてバイパス通路４２を閉じるダンパＤ１１を配置している。また、上記吸気通路４１とバイパス通路４２の下流側接続部に、吸気通路４１を閉じてバイパス通路４２を開くか、または、吸気通路４１を開いてバイパス通路４２を閉じるダンパＤ１２を配置している。上記ダンパＤ１１が吸気通路４１を閉じてバイパス通路４２を開くとき、ダンパＤ１２も吸気通路４１を閉じてバイパス通路４２を開く一方、ダンパＤ１１が吸気通路４１を開いてバイパス通路４２を閉じるとき、ダンパＤ１２も吸気通路４１を開いてバイパス通路４２を閉じる。上記ダンパＤ１１,Ｄ１２でバイパス通路作動手段を構成している。
【００７７】
さらに、上記吸気通路４１と循環経路用通路４３の接続部の上流側に、吸気通路４１を開閉するダンパＤ１３を配置している。
【００７８】
また、上記バイオフィルタＢＦ６は、インフルエンザウィルスを不活性化するＩgY抗体を用いたものである。また、上記バイオフィルタＢＦ６のフィルタ繊維に調湿素材(ゼオライト,ナイロン,吸水性ポリマなど)を用いることによって、フィルタ繊維に水分を保つことが可能となり、抗体による免疫反応が活性化される。
【００７９】
上記構成のダクト装置において、ダンパＤ１３を開き、かつ、ダンパＤ１１が吸気通路４１を開いてバイパス通路４２を閉じ、かつ、ダンパＤ１２が吸気通路４１を開いてバイパス通路４２を閉じた状態では、送風ファン４０により室外から吸気しながら空気調和機４４で暖房運転または冷房運転が行われると共に、空気調和機４４の加湿ユニット４４aにより加湿された空気が室内に供給される。この状態でダンパＤ１３を閉じると、室外から吸気しないで、循環経路用通路４３と吸気通路４１の一部とで形成される循環経路を介して室内空気が循環しながら空気調和機４４により暖房運転または冷房運転が行われると共に、空気調和機４４の加湿ユニット４４aにより加湿された空気が室内に供給される。
【００８０】
一方、上記ダンパＤ１３を閉じた状態で、ダンパＤ１１が吸気通路４１を閉じてバイパス通路４２を開き、かつ、ダンパＤ１２が吸気通路４１を閉じてバイパス通路４２を開いた状態にすると、送風ファン４０により、バイオフィルタＢＦ６を介して室内空気が循環する。上記室内空気が循環することにより、室内の加湿された空気がバイオフィルタＢＦ６を通過することになるので、バイオフィルタＢＦ６の調湿素材に水分が供給される。
【００８１】
したがって、調湿素材を用いて形成されたバイオフィルタＢＦ６に、免疫反応に不可欠な水分を連続して補給しつつ、効果的にかつ確実にウィルスを不活性化して死滅させることができる。また、上記バイオフィルタＢＦ６では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【００８２】
また、上記循環経路用通路４３とその接続点よりも下流側の吸気通路４１の一部により形成された循環経路により室内の空気を循環させるとき、ダンパＤ１１,Ｄ１２によりバイパス通路４２を作動させて、吸気通路４１で搬送される空気をバイパス通路４２内に配置されたバイオフィルタＢＦ６を通過させて、バイオフィルタＢＦ６のウィルス除去機能を働かせることができる。
【００８３】
また、上記ダンパＤ１１,Ｄ１２をバイパス通路作動手段に用いることによって、簡単な構成でバイパス通路４２の作動状態を制御することができる。
【００８４】
上記第８実施形態では、バイパス通路作動手段としてのダンパＤ１１,Ｄ１２を用いて、バイパス通路４２を作動させたが、バイパス通路４２内にバイパス通路作動手段として送風ファン４５を配置して、送風ファン４５を運転することによりバイパス通路４２を作動させてもよい。この場合、ダンパよりも簡単な構成でバイパス通路４２の作動状態を制御することができると共に、空気調和機４４の運転を停止して送風ファンを止めることにより、バイパス通路４２に流れる風量を増大することができる。
【００８５】
（第９実施形態）
図９はこの発明の第９実施形態のダクト装置の概略構成図であり、６１は室外からの空気を室内に搬送するための吸気通路、６２は上記吸気通路６１に設けられたバイパス通路、６３は上記バイパス通路６２よりも上流側の吸気通路６１と室内との間に接続され、その接続点よりも下流側の吸気通路６１とで室内の空気を循環させるための循環経路を形成する循環経路用通路、６４は上記吸気通路６１と循環経路用通路６３との接続部の下流側、かつ、バイパス通路６２の上流側が接続された吸気通路６１の上流側接続部の上流側に配設された空気調和機である。この空気調和機６４は、加湿手段の一例としての加湿ユニット６４aを備えている。また、上記吸気通路６１の空気調和機６４よりも下流側かつ、バイパス通路６２の上流側が接続された吸気通路６１の上流側接続部よりも上流側に送風ファン６０を配設している。
【００８６】
上記バイパス通路６２内にバイオフィルタＢＦ７を配設している。また、上記吸気通路６１の吸込口６１aにフィルタＦ１１を配置すると共に、吸気通路６１の室内側の吹出口６１bにフィルタＦ１２を配置している。さらに、上記循環経路用通路６３の吸込口６３aにフィルタＦ１３を配置している。
【００８７】
また、上記吸気通路６１とバイパス通路６２の上流側接続部に、吸気通路６１を閉じてバイパス通路６２を開くか、または、吸気通路６１を開いてバイパス通路６２を閉じるダンパＤ１４を配置している。また、上記吸気通路６１とバイパス通路６２の下流側接続部に、吸気通路６１を閉じてバイパス通路６２を開くか、または、吸気通路６１を開いてバイパス通路６２を閉じるダンパＤ１５を配置している。上記ダンパＤ１４が吸気通路６１を閉じてバイパス通路６２を開くとき、ダンパＤ１５も吸気通路６１を閉じてバイパス通路６２を開く一方、ダンパＤ１４が吸気通路６１を開いてバイパス通路６２を閉じるとき、ダンパＤ１５も吸気通路６１を開いてバイパス通路６２を閉じる。上記ダンパＤ１４,Ｄ１５でバイパス通路作動手段を構成している。
【００８８】
さらに、上記吸気通路６１と循環経路用通路６３の接続部の上流側に、吸気通路６１を開閉するダンパＤ１３を配置している。
【００８９】
また、上記バイオフィルタＢＦ７は、インフルエンザウィルスを不活性化するＩgY抗体を用いたものである。また、上記バイオフィルタＢＦ７のフィルタ繊維に調湿素材(ゼオライト,ナイロン,吸水性ポリマなど)を用いることによって、フィルタ繊維に水分を保つことが可能となり、抗体による免疫反応が活性化される。
【００９０】
上記構成のダクト装置において、ダンパＤ１３を開き、かつ、ダンパＤ１４が吸気通路６１を開いてバイパス通路６２を閉じ、かつ、ダンパＤ１５が吸気通路６１を開いてバイパス通路６２を閉じた状態では、送風ファン６０により室外から吸気しながら空気調和機６４で暖房運転または冷房運転が行われると共に、空気調和機６４の加湿ユニット６４aにより加湿された空気が室内に供給される。この状態でダンパＤ１３を閉じると、室外から吸気しないで、循環経路用通路４３と吸気通路４１の一部とで形成される循環経路を介して室内空気が循環しながら空気調和機４４により暖房運転または冷房運転が行われると共に、空気調和機４４の加湿ユニット６４aにより加湿された空気が室内に供給される。
【００９１】
一方、上記ダンパＤ１３を閉じた状態で、ダンパＤ１４が吸気通路６１を閉じてバイパス通路６２を開き、かつ、ダンパＤ１５が吸気通路６１を閉じてバイパス通路６２を開いた状態では、空気調和機６４により暖房運転または冷房運転が行われると共に、空気調和機６４の加湿ユニット６４aにより加湿された空気がバイオフィルタＢＦ７を介して循環する。上記室内空気が循環することにより、室内の加湿された空気がバイオフィルタＢＦ７を通過することになるので、バイオフィルタＢＦ７の調湿素材に水分が供給される。
【００９２】
したがって、調湿素材を用いて形成されたバイオフィルタＢＦ７に、免疫反応に不可欠な水分を連続して補給しつつ、効果的にかつ確実にウィルスを不活性化して死滅させることができる。また、上記バイオフィルタＢＦ７では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【００９３】
また、上記バイパス通路６２よりも上流側の吸気通路６１に空気調和機６４を配設することによって、バイパス通路６２の作動状態にかかわらず、空気調和機６４による空気調和を行うことができる。
【００９４】
また、上記循環経路用通路６３とその接続点よりも下流側の吸気通路６１の一部により形成された循環経路により室内の空気を循環させるとき、バイパス通路作動手段としてのダンパＤ１４,Ｄ１５によりバイパス通路６２を作動させて、吸気通路６１で搬送される空気をバイパス通路６２内に配置されたバイオフィルタＢＦ７を通過させて、バイオフィルタＢＦ７のウィルス除去機能を働かせることができる。
【００９５】
また、上記ダンパＤ１４,Ｄ１５をバイパス通路作動手段に用いることによって、簡単な構成でバイパス通路６２の作動状態を制御することができる。
【００９６】
上記第９実施形態では、バイパス通路作動手段としてのダンパＤ１４,Ｄ１５を用いて、バイパス通路６２を作動させたが、バイパス通路６２内にバイパス通路作動手段として送風ファン６５を配置して、送風ファン６５を運転することによりバイパス通路６２を作動させてもよい。この場合、ダンパよりも簡単な構成でバイパス通路６２の作動状態を制御することができる。
【００９７】
（第１０実施形態）
図１０はこの発明の第１０実施形態のダクト装置の概略構成図であり、６１は室外からの空気を室内に搬送するための吸気通路、６３は上記吸気通路６１の上流側と室内との間に接続され、その接続点よりも下流側の吸気通路６１とで室内の空気を循環させるための循環経路を形成する循環経路用通路、６４は上記吸気通路６１と循環経路用通路６３との接続部の下流側に配設された空気調和機である。この空気調和機６４は、加湿手段の一例としての加湿ユニット６４aを備えている。また、上記吸気通路６１の空気調和機６４よりも下流側に送風ファン６０を配設している。
【００９８】
上記ダクト装置は、吸気通路６１の室内側吹出口６１bに接続された室内ユニット７０を室内の側壁に配設している。上記室内ユニット７０は、ケーシング７１内に、吸気通路６１の室内側の吹出口６１bが一端に接続されたバイパス通路７３を有し、そのバイパス通路７３内にバイオフィルタＢＦ８を配設している。また、上記室内ユニット７０は、ケーシング７１内にバイパス通路作動手段の一例としてのダンパＤ１６を設けており、ダンパＤ１６が開いた状態で吸気通路６１の室内側吹出口６１bからの空気が室内に吹き出す一方、ダンパＤ１６が閉じた状態でバイパス通路７３を介して吹き出す。
【００９９】
また、上記吸気通路６１の吸込口６１aにフィルタＦ１１を配置すると共に、吸気通路６１の室内側の吹出口６１bにフィルタＦ１２を配置している。さらに、上記循環経路用通路６３の吸込口６３aにフィルタＦ１３を配置している。
【０１００】
また、上記吸気通路６１と循環経路用通路６３の接続部の上流側に、吸気通路６１を開閉するダンパＤ１３を配置している。
【０１０１】
また、上記バイオフィルタＢＦ８は、インフルエンザウィルスを不活性化するＩgY抗体を用いたものである。また、上記バイオフィルタＢＦ８のフィルタ繊維に調湿素材(ゼオライト,ナイロン,吸水性ポリマなど)を用いることによって、フィルタ繊維に水分を保つことが可能となり、抗体による免疫反応が活性化される。
【０１０２】
上記構成のダクト装置において、ダンパＤ１３を開いた状態では、送風ファン６０により室外から吸気しながら空気調和機６４で暖房運転または冷房運転が行われると共に、空気調和機６４の加湿ユニット６４aにより加湿された空気が室内に供給される。このとき、ダンパＤ１６が閉じてバイパス通路７３を開いた状態にすることにより、バイオフィルタＢＦ８を介して空気が吹き出す。この状態でダンパＤ１３を閉じると、室外から吸気しないで、循環経路用通路６３と吸気通路６１の一部とで形成される循環経路を介して室内空気が循環しながら空気調和機６４により暖房運転または冷房運転が行われると共に、空気調和機６４の加湿ユニット６４aにより加湿された空気が室内に供給される。このようにして、室内の加湿された空気がバイオフィルタＢＦ８を通過することになるので、バイオフィルタＢＦ８の調湿素材に水分が供給される。
【０１０３】
したがって、調湿素材を用いて形成されたバイオフィルタＢＦ８に、免疫反応に不可欠な水分を連続して補給しつつ、効果的にかつ確実にウィルスを不活性化して死滅させることができる。また、上記バイオフィルタＢＦ８では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【０１０４】
また、上記バイパス通路７３よりも上流側の吸気通路６１に空気調和機６４を配設することによって、バイパス通路７３の作動状態にかかわらず、空気調和機６４による空気調和を行うことができる。
【０１０５】
また、上記循環経路用通路６３とその接続点よりも下流側の吸気通路６１の一部により形成された循環経路により室内の空気を循環させるとき、バイパス通路作動手段としてのダンパＤ１６によりバイパス通路７３を作動させて、吸気通路６１で搬送される空気をバイパス通路７３内に配置されたバイオフィルタＢＦ８に通過させ、バイオフィルタＢＦ８のウィルス除去機能を働かせることができる。
【０１０６】
また、上記ダンパＤ１６をバイパス通路作動手段に用いることによって、簡単な構成でバイパス通路７３の作動状態を制御することができる。
【０１０７】
（第１１実施形態）
図１１はこの発明の第１１実施形態のダクト装置の概略構成図であり、この第３実施形態のダクト装置は、バイオフィルタおよび室内ユニットを除いて第１０実施形態のダクト装置と同様の構成をしており、同一構成部は同一参照番号を付して説明を省略する。
【０１０８】
上記第１１実施形態のダクト装置は、図１１に示すように、吸気通路６１の室内側吹出口６１bに接続された室内ユニット８０を室内の壁内に配設している。上記室内ユニット８０は、ケーシング８１内に、吸気通路６１の室内側吹出口６１bが一端に接続されたバイパス通路８４を有し、そのバイパス通路８４内にバイオフィルタＢＦ９と送風ファン８３を上流側から順に配設している。また、上記室内ユニット８０は、ケーシング８１内にバイパス通路作動手段の一例としてのダンパＤ１７を設けており、ダンパＤ１７が開いた状態で吸気通路６１からの空気を室内に吹き出す一方、ダンパＤ１７が閉じた状態で吸気通路６１からの空気をバイパス通路８４を介して吹き出す。
【０１０９】
上記構成のダクト装置において、ダンパＤ１３を開いた状態では、送風ファン６０により室外から吸気しながら空気調和機６４で暖房運転または冷房運転が行われると共に、空気調和機６４の加湿手段の一例としての加湿ユニット６４aにより加湿された空気が室内に供給される。このとき、ダンパＤ１７が閉じてバイパス通路８４を開いた状態にすることにより、バイオフィルタＢＦ９を介して室内に空気が吹き出す。この状態でダンパＤ１３を閉じると、室外から吸気しないで、循環経路用通路６３と吸気通路６１の一部とで形成される循環経路を介して室内空気が循環しながら空気調和機６４により暖房運転または冷房運転が行われると共に、空気調和機６４の加湿ユニット６４aにより加湿された空気が室内に供給される。このようにして、室内の加湿された空気がバイオフィルタＢＦ９を通過することになるので、バイオフィルタＢＦ９の調湿素材に水分が供給される。
【０１１０】
したがって、調湿素材を用いて形成されたバイオフィルタＢＦ９に、免疫反応に不可欠な水分を連続して補給しつつ、効果的にかつ確実にウィルスを不活性化して死滅させることができる。また、上記バイオフィルタＢＦ９では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【０１１１】
また、上記バイパス通路８４よりも上流側の吸気通路６１に空気調和機６４を配設することによって、バイパス通路８４の作動状態にかかわらず、空気調和機６４による空気調和を行うことができる。
【０１１２】
また、上記循環経路用通路６３とその接続点よりも下流側の吸気通路６１の一部により形成された循環経路により室内の空気を循環させるとき、バイパス通路作動手段としてのダンパＤ１７によりバイパス通路８４を作動させて、吸気通路６１で搬送される空気をバイパス通路８４内に配置されたバイオフィルタＢＦ９に通過させ、バイオフィルタＢＦ９のウィルス除去機能を働かせることができる。
【０１１３】
また、上記ダンパＤ１７をバイパス通路作動手段に用いることによって、簡単な構成でバイパス通路８４の作動状態を制御することができる。
【０１１４】
（第１２実施形態）
図１２はこの発明の第１２実施形態のダクト装置の概略構成図であり、この第３実施形態のダクト装置は、室内ユニットの代わりに空気清浄ユニットを用いた点を除いて第１０実施形態のダクト装置と同様の構成をしており、同一構成部は同一参照番号を付して説明を省略する。
【０１１５】
上記ダクト装置は、吸気通路６１の室内側吹出口６１bに接続された空気清浄ユニット９０を室内の側壁に配設している。上記空気清浄ユニット９０は、ケーシング９１内に、吸気通路６１の室内側吹出口６１bが一端に接続された風通路９６を有し、その風通路９６内に、上流側から順に放電部９２,光半導体触媒フィルタ９３,触媒フィルタ９４,バイオフィルタＢＦ１０および集塵部９５を配設している。この空気清浄ユニット９０では、紫外線ランプを用いていない。
【０１１６】
上記光半導体触媒フィルタ９３は、後述する放電部９２で発生した活性種のエネルギーを反応物質に与えて化学反応を起こさせる触媒の一例としての酸化チタン(または酸化亜鉛や酸化タングステンなど)が、通気性を有する不織布シートに塗布されたフィルタである。上記光半導体触媒は、臭気成分や汚染物質を分解する機能や、微生物の殺菌なウィルスの不活性化を行う機能を有する。
【０１１７】
また、上記触媒フィルタ９４は、後述する放電部９２で発生した活性種のエネルギーを反応物質に与えて化学反応を起こさせる触媒の一例としてのマンガン系触媒(ＭnやＭn酸化物など)が、通気性を有する不織布シートに塗布されたフィルタである。この触媒フィルタ９４のマンガン系触媒の表面に活性種が吸着して、臭気成分や有害物質などを分解すると共に、活性種が除去される。
【０１１８】
また、上記バイオフィルタＢＦ１０は、インフルエンザウィルスを不活性化するＩgY抗体を用いたものである。また、上記バイオフィルタＢＦ１０のフィルタ繊維に調湿素材(ゼオライト,ナイロン,吸水性ポリマなど)を用いることによって、フィルタ繊維に水分を保つことが可能となり、抗体による免疫反応が活性化される。
【０１１９】
また、上記放電部９２は、通過する空気中の塵埃などをプラスに帯電させるために高電圧に印加されたプラズマ放電部(図示せず)を有し、そのプラズマ放電部のストリーマ放電により低温プラズマが生成され、それによって、高速電子、イオン、オゾン、ヒドロキシラジカルなどのラジカルや、その他の励起分子(酸素分子、窒素分子、水分子など)の活性種を発生させる。
【０１２０】
上記空気清浄ユニット９０において、吸気通路６１の室内側吹出口６１bから吹き出す空気は、放電部９２,光半導体触媒フィルタ９３,触媒フィルタ９４,バイオフィルタＢＦ１０および集塵部９５を介して室内に吹き出す。このとき、放電部９２で、通過する空気中の塵埃などを高電圧によりプラスに帯電させ、光半導体触媒フィルタ９３は、放電部９２で発生した活性種によって触媒(酸化チタン)が活性化し、臭気成分などを分解する。そして、次の触媒フィルタ９４では、放電部９２で発生した活性種がマンガン系触媒の表面に吸着し、その吸着した活性種のエネルギーを利用した触媒作用により臭気成分などを分解する。その後、上記バイオフィルタＢＦ１０で抗体による免疫反応によりインフルエンザウィルスなどを不活性化して死滅させる。
【０１２１】
このように、上記空気清浄ユニット９０によれば、吸気通路６１を介して室内に吹き出す空気を、放電部９２と光半導体触媒フィルタ９３と触媒フィルタ９４およびバイオフィルタ３を通過させた後、放電部９２とバイオフィルタＢＦ１０との間に配置された触媒フィルタ９４によって、放電部９２で高電圧により発生した活性種が除去される。したがって、放電部９２の下流側のバイオフィルタＢＦ１０に悪影響を及ぼすことがなく、高いウィルス除去能力を長期にわたって維持することができる。
【０１２２】
また、上記放電部９２で発生した活性種が下流側に配置された光半導体触媒フィルタ９３に供給されても、放電部９２とバイオフィルタＢＦ１０との間に配置された光半導体触媒フィルタ９３と触媒フィルタ９４の２重構造により活性種が除去されてバイオフィルタＢＦ１０に到達しないので、放電部９２からの活性種がバイオフィルタＢＦ１０に悪影響を及ぼすことがなく、光半導体触媒フィルタ９３と触媒フィルタ９４により高い脱臭能力を備えると共に、高いウィルス除去能力を長期にわたって維持できる。
【０１２３】
上記構成のダクト装置において、ダンパＤ１３を開いた状態では、送風ファン６０により室外から吸気しながら空気調和機６４で暖房運転または冷房運転が行われると共に、空気調和機６４の加湿手段の一例としての加湿ユニット６４aにより加湿された空気が空気清浄ユニット９０を介して室内に供給される。一方、上記ダンパＤ１３を閉じた状態では、空気調和機６４により暖房運転または冷房運転が行われると共に、空気調和機６４の加湿ユニット６４aにより加湿された空気が空気清浄ユニット９０を介して室内に供給される。そうして、上記空気調和機６４を介して室内空気が循環する。このようにして、室内の加湿された空気がバイオフィルタＢＦ１０を通過することになるので、バイオフィルタＢＦ１０の調湿素材に水分が供給される。
【０１２４】
したがって、調湿素材を用いて形成されたバイオフィルタＢＦ１０に、免疫反応に不可欠な水分を連続して補給しつつ、効果的にかつ確実にウィルスを不活性化して死滅させることができる。また、上記バイオフィルタＢＦ１０では、従来の化学的に不活性化する技術に比べて、抗体により一旦不活性化されて死滅したウィルスが再び空気中に放出されても再び活性化することはなく、また、ウィルスを不活性化するまでの時間を大幅に短縮できる。
【０１２５】
（第１３実施形態）
図１３はこの発明の第１３実施形態のダクト装置に用いられるフィルタ装置の構成を示す模式図であり、このフィルタ装置は、第１〜第１１実施形態のバイオフィルタＢＦ１〜ＢＦ１０を吸気通路やバイパス通路などに配設するために用いられる。
【０１２６】
図１３において、１０１はベルト形状のバイオフィルタ、１０３,１０５は風通路１０７を挟むように所定の間隔をあけて配置された略平行な２つのローラである。また、上記風通路１０７は、風通路１０７内のバイオフィルタ１０１の風下側に送風ファン１０６を配置している。上記送風ファン１０６は、風通路１０７に空気を通過させる別の送風手段がある場合はなくともよい。
【０１２７】
上記２つのローラ１０３,１０５のうちの一方のローラ１０５は、一方の壁面(図１３の左側)近傍の非風通路側に配置され、他方のローラ１０３は、他方の壁面(図１３の右側)近傍の非風通路側に配置されている。上記ローラ１０５側の壁面に設けられた開口にローラ１０４を配置している。また、上記ローラ１０３は、円筒状のロールケース１０２内に配置され、そのロールケース１０２内においてローラ１０３にバイオフィルタ１０１の一端がロール状に巻回されている。そして、壁面に設けられた開口をバイオフィルタ１０１が通過し、ロールケース１０２には、バイオフィルタ１０１を出し入れするための出入口部１０８が設けられている。上記出入口部１０８は、ロールケース１０２内に外気が進入しないシール構造にすることにより、ロールケース１０２内のバイオフィルタ１０１のロール部１０１aの抗体の消費を防止できる。
【０１２８】
上記ローラ１０３,１０５を回転駆動させることにより、２つのローラ１０３,１０５に巻回されたバイオフィルタ１０１は、ローラ１０５とローラ１０３との間をローラ１０４を介して移動する。
【０１２９】
上記バイオフィルタ１０１を風通路１０７に面する分だけ引き出して、バイオフィルタ１０１の風通路１０７に面する領域を通過する空気に含まれる水分が供給させることになり、抗体による免疫反応が活性化する。そうして、用いたバイオフィルタ１０１の領域の抗体が消費されて能力が低下した場合は、ロールケース１０２内のロール部１０１aから風通路１０７に面する分だけバイオフィルタ１０１を新たに引き出す。
【０１３０】
このように、上記構成のフィルタ装置によれば、調湿素材を用いて形成されたバイオフィルタ１０１を、風通路１０７に面する部分が移動可能な構成とすることによって、免疫反応に不可欠な水分をバイオフィルタ１０１に保ちつつ、効果的にかつ確実にウィルスを不活性化することができる。
【０１３１】
（第１４実施形態）
図１４はこの発明の第１４実施形態のダクト装置に用いられるフィルタ装置の構成を示す模式図であり、このフィルタ装置は、第１〜１１実施形態のバイオフィルタＢＦ１〜ＢＦ１０を吸気通路やバイパス通路などに配設するために用いられる。
【０１３２】
図１４において、１１１はベルト形状のバイオフィルタ、１０４,１１３は風通路１０７を挟むように所定の間隔をあけて配置された略平行な２つのローラである。また、上記風通路１０７は、風通路１０７内のバイオフィルタ１１１の風下側に送風ファン１０６を配置している。上記送風ファン１０６は、風通路１０７に空気を通過させる別の送風手段がある場合はなくともよい。
【０１３３】
また、一方の壁面(図１３の左側)近傍の非風通路側にローラ１０５を配置している。また、他方の壁面(図１３の右側)近傍の非風通路側に収納ケース１１２を配置し、その収納ケース１１２内にバイオフィルタ１１１の一端が折り畳まれている。そして、壁面に設けられた開口をバイオフィルタ１１１が通過し、収納ケース１１２には、バイオフィルタ１１１を出し入れするための出入口部(図示せず)が設けられている。上記出入口部は、収納ケース１１２内に外気が進入しないシール構造にすることにより、収納ケース１１２内のバイオフィルタ１１１の折り畳み部１１１aの抗体の消費を防止できる。
【０１３４】
上記ローラ１０５を回転駆動させることにより、バイオフィルタ１１１は、ローラ１１３側からローラ１０４側に移動する。
【０１３５】
上記バイオフィルタ１１１を風通路１０７に面する分だけ引き出すことにより、バイオフィルタ１１１の風通路１０７に面する領域を通過する空気に含まれる水分が供給させることになり、抗体による免疫反応が活性化する。そうして、用いたバイオフィルタ１１１の領域の抗体が消費されて能力が低下した場合は、収納ケース１１２内の折り畳み部１１１aから風通路１０７に面する分だけバイオフィルタ１１１を新たに引き出す。
【０１３６】
このように、上記構成のフィルタ装置によれば、調湿素材を用いて形成されたバイオフィルタ１１１を、風通路１０７に面する部分が移動可能な構成とすることによって、免疫反応に不可欠な水分をバイオフィルタ１１１に保ちつつ、効果的にかつ確実にウィルスを不活性化することができる。
【０１３７】
（第１５実施形態）
図１５はこの発明の第１５実施形態のダクト装置に用いられるフィルタ装置の構成を示す模式図であり、この第１５実施形態のフィルタ装置は、加湿容器と加湿装置を除いて第１３実施形態のフィルタ装置と同一の構成をしており、同一構成部は同一参照番号を付して説明を省略する。
【０１３８】
図１５に示すように、壁面(図１５の左側)近傍の非風通路側に配置された加湿容器１０９内の加湿空間Ｓ１は、加湿手段の一例としての加湿装置１２０により加湿されて、加湿空間Ｓ１内に加湿空気が閉じ込められて高湿度の雰囲気が保たれる。そして、上記加湿空間Ｓ１内に収容されたバイオフィルタ１０１の部分に水分が補給される。そうして、上記ローラ１０５,１０３を回転駆動させて、加湿されたバイオフィルタ１０１の領域を２つのローラ１０５,１０３間を移動させることにより、バイオフィルタ１０１の風通路１０７に面する領域に効率よく水分を補充する。
【０１３９】
詳しくは、上記ローラ１０５,１０３を回転駆動させることにより、加湿容器１０９内のローラ１０５に、風通路１０７に面する分のバイオフィルタ１０１を巻き取った後、加湿装置１２０で加湿しながらバイオフィルタ１０１を風通路１０７に面する分だけ引き出すことにより、バイオフィルタ１０１の風通路１０７に面する領域が加湿された状態となり、抗体による免疫反応を活性化する。そうして、バイオフィルタ１０１の巻き取りと引き出しを加湿しながら繰り返すことにより、ウィルスを不活性化する能力を維持し、用いたバイオフィルタ１０１の領域の抗体が消費されて能力が低下した場合は、ロールケース４１内のロール部１０１aから風通路１０７に面する分だけバイオフィルタ１０１を新たに引き出して、上記と同様の巻き取りと引き出しを加湿しながら繰り返す。
【０１４０】
このように、上記構成のフィルタ装置によれば、調湿素材を用いて形成されたバイオフィルタ１０１を、風通路１０７に面する部分が移動可能な構成とすることによって、免疫反応に不可欠な水分をバイオフィルタ１０１に保ちつつ、効果的にかつ確実にウィルスを不活性化することができる。
【０１４１】
（第１６実施形態）
図１６はこの発明の第１６実施形態のダクト装置に用いられるフィルタ装置の構成を示す模式図であり、この第１６実施形態のフィルタ装置は、加湿装置を除いて第１３実施形態のフィルタ装置と同一の構成をしており、同一構成部は同一参照番号を付して説明を省略する。
【０１４２】
上記風通路１０７の上流側に配置された加湿手段の一例としての加湿装置１３０により加湿されて、バイオフィルタ１０１の一部の領域に水分が補給される。そうして、上記ローラ１０５,１０３を回転駆動させて、加湿されたバイオフィルタ１０１の領域を２つのローラ１０５,１０３間を移動させることにより、バイオフィルタ１０１の風通路１０７に面する領域に効率よく水分を補充する。
【０１４３】
詳しくは、上記ローラ１０５,１０３を回転駆動させることにより、一方のローラ３２に、風通路１０７に面する分のバイオフィルタ１０１を巻き取った後、加湿装置１３０で加湿しながらバイオフィルタ１０１を風通路１０７に面する分だけ引き出すことにより、バイオフィルタ１０１の風通路１０７に面する領域が加湿された状態となり、抗体による免疫反応を活性化する。そうして、バイオフィルタ１０１の巻き取りと引き出しを加湿しながら繰り返すことにより、ウィルスを不活性化する能力を維持し、用いたバイオフィルタ１０１の領域の抗体が消費されて能力が低下した場合は、ロールケース４１内のロール部１０１aから風通路１０７に面する分だけバイオフィルタ１０１を新たに引き出して、上記と同様の巻き取りと引き出しを加湿しながら繰り返す。
【０１４４】
このように、上記構成のフィルタ装置によれば、調湿素材を用いて形成されたバイオフィルタ１０１を、風通路１０７に面する部分が移動可能な構成とすることによって、免疫反応に不可欠な水分をバイオフィルタ１０１に保ちつつ、効果的にかつ確実にウィルスを不活性化することができる。
【０１４５】
（第１７実施形態）
図１７はこの発明の第１７実施形態のダクト装置に用いられるフィルタ装置の構成を示す模式図であり、このフィルタ装置は、第１〜第１１実施形態のバイオフィルタＢＦ１〜ＢＦ１０を吸気通路やバイパス通路などに配設するために用いられる。
【０１４６】
図１７において、１４１はベルト形状のバイオフィルタ、１４２,１４３は風通路１４７を挟むように所定の間隔をあけて配置された略平行な２つのローラ、１４５は風通路外に配置され、加湿空間Ｓ２を形成する加湿容器、１４８は上記加湿容器１４５近傍に配置された加湿手段の一例としての超音波加湿方式の加湿装置である。また、上記風通路１４７は、風通路１４７内のバイオフィルタ１４１の風下側に送風ファン１４６を配置している。上記送風ファン１４６は、風通路１４７に空気を通過させる別の送風手段がある場合はなくともよい。
【０１４７】
上記バイオフィルタ１４１は、インフルエンザウィルスを不活性化するＩgY抗体を用いたものである。また、上記バイオフィルタ１４１のフィルタ繊維に調湿素材(ゼオライト,ナイロン,吸水性ポリマなど)を用いることによって、フィルタ繊維に水分を保つことが可能となり、抗体による免疫反応が活性化される。
【０１４８】
上記２つのローラ１４２,１４３のうちの一方のローラ１４２は、一方の壁面(図１７の左側)近傍の非風通路側に配置され、他方のローラ１４３は、他方の壁面(図１７の右側)近傍の非風通路側に配置されている。そうして、上記ローラ１４３を矢印Ｒ１の方向に回転駆動させることにより、２つのローラ１４２,１４３に巻回されたバイオフィルタ１４１は、一方のローラ１４２側から他方のローラ１４３側に向かって風通路１４７の上流に面する側を移動し、さらに他方のローラ１４３側から一方のローラ１４２側に向かって下流側に面する側を移動して、２つのローラ１４２,１４３間を周回する。これにより、上記バイオフィルタ１４１は、風通路１４７内において上流に面する側と下流に面する側が２重の構造で配置されることになる。
【０１４９】
また、上記壁面(図１７の左側)近傍の非風通路側に配置された加湿容器１４５内の加湿空間Ｓ２は、加湿装置１４８により加湿されて、加湿空間Ｓ２内に加湿空気が閉じ込められて高湿度の雰囲気が保たれる。そして、上記加湿空間Ｓ２内に収容されたバイオフィルタ１４１の部分に水分が補給される。これにより、加湿されたバイオフィルタ１４１の領域が連続して加湿空間Ｓ２側から送り出されて、２つのローラ１４２,１４３間を周回することにより、バイオフィルタ１４１全体に効率よく水分を補充する。
【０１５０】
上記バイオフィルタ１４１では、従来の化学的に不活性化する技術を用いたフィルタ装置に比べて、抗体により一旦不活性化されたウィルスが再び空気中に放出されても再び活性化することはなく、また、ウィルスを不活性化するまでの時間を大幅に短縮できる。
【０１５１】
このように、上記構成のフィルタ装置によれば、調湿素材を用いて形成されたバイオフィルタ１４１を風通路１４７に面する部分が移動可能な構成とすることによって、免疫反応に不可欠な水分をバイオフィルタ１４１に保ちつつ、効果的にかつ確実にウィルスを不活性化することができる。
【０１５２】
また、風通路１４７外においてバイオフィルタ１４１の一部を加湿装置１４８により加湿して、バイオフィルタ１４１の調湿素材に水分を補給し、調湿素材に水分が保たれたバイオフィルタ１４１の部分を風通路外から風通路１４７に面するように移動させることによって、より効果的にウィルスを不活性化することができる。
【０１５３】
また、風通路外に配置された加湿空間Ｓ２に収容されたバイオフィルタ１４１の部分を加湿装置１４８により加湿して、加湿空間Ｓ２内の高湿度の雰囲気を最適に保つことによって、効果的にバイオフィルタ１４１を加湿することができる。
【０１５４】
また、ベルト形状のバイオフィルタ１４１は、２つのローラ１４２,１４３に巻回され、ローラ１４３を回転駆動することによって、風通路１４７内において上流に面する側と下流に面する側が２重の構造で配置されて、ウィルスを不活性化する能力が向上する。また、加湿空間Ｓ２内で加湿されたバイオフィルタ１４１の領域が連続して加湿空間Ｓ２側から送り出されて、２つのローラ１４２,１４３間を周回するので、バイオフィルタ１４１全体に効率よく水分を補充することができ、さらに効果的にウィルスを不活性化することができる。
【０１５５】
また、上記バイオフィルタ１４１が一方のローラ１４２側から他方のローラ１４３側に向かって風通路１４７の上流に面する側を移動し、さらに他方のローラ１４３側から一方のローラ１４２側に向かって下流側に面する側を移動して、２つのローラ１４２,１４３間を周回することによって、バイオフィルタ１４１の上流側から水分が蒸発して下流側を通過するので、バイオフィルタ１４１の上流側と下流側との水分の偏りが少なくなり、水分分布がより均一になる。
【０１５６】
（第１８実施形態）
図１８はこの発明の第１８実施形態のダクト装置に用いられるフィルタ装置の構成を示す模式図であり、この第１６実施形態のフィルタ装置は、加湿容器と加湿装置を除いて第１７実施形態のフィルタ装置と同一の構成をしており、同一構成部は同一参照番号を付して説明を省略する。
【０１５７】
上記風通路１４７の上流側に配置された加湿装置１５０により加湿されて、バイオフィルタ１４１の一部の領域に水分が補給される。そうして、上記ローラ１４３を矢印Ｒ２の方向に回転駆動させることにより、２つのローラ１４２,１４３に巻回されたバイオフィルタ１４１は、一方のローラ２２側から他方のローラ１４３側に向かって風通路１４７の上流に面する側を移動し、さらに他方のローラ１４３側から一方のローラ１４２側に向かって下流側に面する側を移動して、２つのローラ１４２,１４３間を周回する。これにより、上記バイオフィルタ１４１は、風通路１４７内において上流に面する側と下流に面する側が２重の構造で配置されることになる。
【０１５８】
また、上記加湿装置１５０によりバイオフィルタ１４１の一部が加湿されて水分が補給される。これにより、加湿されたバイオフィルタ１４１の領域が連続して送りだされて、２つのローラ１４２,１４３間を周回することにより、バイオフィルタ１４１全体に効率よく水分を補充する。
【０１５９】
このように、上記構成のフィルタ装置によれば、調湿素材を用いて形成されたバイオフィルタ１４１を風通路１４７に面する部分が移動可能な構成とすることによって、効果的にかつ確実にウィルスを不活性化することができる。
【０１６０】
また、ベルト形状のバイオフィルタ１４１は、２つのローラ１４２,１４３に巻回され、ローラ１４３を回転駆動することによって、風通路１４７内において上流に面する側と下流に面する側が２重の構造で配置されて、ウィルスを不活性化する能力が向上すると共に、加湿装置１５０により加湿されたバイオフィルタ１４１の領域が連続して送り出されて、２つのローラ１４２,１４３間を周回するので、バイオフィルタ１４１全体に効率よく水分を補充することができ、さらに効果的にウィルスを不活性化することができる。
【０１６１】
また、上記第１〜第１８実施形態では、インフルエンザウィルスを不活性化するＩgY抗体を用いたバイオフィルタを備えたダクト装置について説明したが、バイオフィルタは、これに限らず、免疫反応を利用してウィルスを不活性化する抗体を用いたものであればよい。また、バイオフィルタをプリーツ形状にして表面積を大きくすることにより、バイオフィルタの圧損を低減することができる。
【０１６２】
また、上記第１〜第１８実施形態では、空気調和機が備える加湿手段としての加湿ユニットは、ヒータ加湿方式、気化加湿方式、超音波加湿方式、無給水加湿方式等のいずれの方式の加湿手段を用いたものでもよい。さらに、上記第１５〜第１８実施形態では、加湿手段として超音波加湿方式の加湿装置を用いたが、加湿手段はこれに限らず、ヒータ加湿方式や気化加湿方式および無給水加湿方式等の加湿装置を用いてもよいのは勿論である。
【０１６３】
また、上記第６,第８〜第１２実施形態では、空気調和機３０,４４,６４に加湿手段として加湿ユニット３０a,４４a,６４aを備えたが、加湿手段はこれに限らず、第１５〜第１８実施形態のフィルタ装置に備えられた加湿装置１２０,１３０,１４５,１５０などであってもよい。
【図面の簡単な説明】
【０１６４】
【図１】図１はこの発明の第１実施形態のダクト装置の概略構成図である。
【図２】図２はこの発明の第２実施形態のダクト装置の概略構成図である。
【図３】図３はこの発明の第３実施形態のダクト装置の概略構成図である。
【図４】図４はこの発明の第４実施形態のダクト装置の概略構成図である。
【図５】図５はこの発明の第５実施形態のダクト装置の概略構成図である。
【図６】図６はこの発明の第６実施形態のダクト装置の概略構成図である。
【図７】図７はこの発明の第７実施形態のダクト装置の概略構成図である。
【図８】図８はこの発明の第８実施形態のダクト装置の概略構成図である。
【図９】図９はこの発明の第９実施形態のダクト装置の概略構成図である。
【図１０】図１０はこの発明の第１０実施形態のダクト装置の概略構成図である。
【図１１】図１１はこの発明の第１１実施形態のダクト装置の概略構成図である。
【図１２】図１２はこの発明の第１２実施形態のダクト装置の概略構成図である。
【図１３】図１３はこの発明の第１３実施形態のダクト装置に用いられるフィルタ装置の概略構成図である。
【図１４】図１４はこの発明の第１４実施形態のダクト装置に用いられるフィルタ装置の概略構成図である。
【図１５】図１５はこの発明の第１５実施形態のダクト装置に用いられるフィルタ装置の概略構成図である。
【図１６】図１６はこの発明の第１６実施形態のダクト装置に用いられるフィルタ装置の概略構成図である。
【図１７】図１７はこの発明の第１７実施形態のダクト装置に用いられるフィルタ装置の概略構成図である。
【図１８】図１８はこの発明の第１８実施形態のダクト装置に用いられるフィルタ装置の概略構成図である。
【符号の説明】
【０１６５】
１,４１,６１…吸気通路
２…排気通路
３…換気装置
４…全熱交換器
５,１２,２４,６２,７３,８４…バイパス通路
６,２３,４０,４５,６０,６５,８３…送風ファン
１０,２０,７０,８０…室内ユニット
３０,４４,６４…空気調和機
３０a,３１,４４a,６４a…加湿ユニット
４３…循環経路用通路
９０…空気清浄ユニット
９１…ケーシング
９２…放電部
９３…光半導体触媒フィルタ
９４…触媒フィルタ
９５…集塵部
９６…風通路
１１,２１,７１,８１…ケーシング
ＢＦ１,…,ＢＦ１０,１０１,１１１,１４１…バイオフィルタ
Ｄ１〜Ｄ３,Ｄ１１〜Ｄ１７…ダンパ
Ｆ１〜Ｆ４,Ｆ１１〜Ｆ１３…フィルタ
１０３,１０４,１０５,１１３,１４２,１４３…ローラ
１０６,１４６…送風ファン
１０７,１４７…風通路
１０９,１４５…加湿容器
１２０,１３０,１４８,１５０…加湿装置
【図１】
2005344985.tif 000003
【図２】
2005344985.tif 000004
【図３】
2005344985.tif 000005
【図４】
2005344985.tif 000006
【図５】
2005344985.tif 000007
【図６】
2005344985.tif 000008
【図７】
2005344985.tif 000009
【図８】
2005344985.tif 000010
【図９】
2005344985.tif 000011
【図１０】
2005344985.tif 000012
【図１１】
2005344985.tif 000013
【図１２】
2005344985.tif 000014
【図１３】
2005344985.tif 000015
【図１４】
2005344985.tif 000016
【図１５】
2005344985.tif 000017
【図１６】
2005344985.tif 000018
【図１７】
2005344985.tif 000019
【図１８】
2005344985.tif 000020